(57)【要約】【課題】空港、駅、劇場、映画館等の施設に設置された表示装置に表示するコンテンツを、何らかの事情により変更する場合に、適切にコンテンツを変更することを目的とする。【解決手段】番組再構成装置１０は、ＤＳ端末３０に表示させる複数のコンテンツそれぞれについて、そのコンテンツを他のコンテンツに置き換え可能か否かを示す置換可否情報を記憶しておき、表示コンテンツを変更する場合に、複数のコンテンツのうちの置換可否情報が置き換え可能であることを示すコンテンツを、他のコンテンツに置き換えて、番組構成を再構成する。【選択図】図１
2015026928.tif 000002
【特許請求の範囲】
【請求項１】
表示装置に表示させる複数のコンテンツの識別情報と、前記複数のコンテンツの表示順序とを示す番組構成を記憶する番組構成記憶部と、
前記番組構成記憶部が記憶した番組構成が示す複数のコンテンツそれぞれについて、そのコンテンツを他のコンテンツに置き換え可能か否かを示す置換可否情報を記憶する置換可否記憶部と、
所定の場合に、前記複数のコンテンツのうちの前記置換可否記憶部が記憶した置換可否情報が置き換え可能であることを示すコンテンツを、他のコンテンツに置き換えて、前記番組構成を再構成する番組再構成部と
を備えることを特徴とする番組再構成装置。
【請求項２】
前記置換可否記憶部は、前記他のコンテンツの重要度毎に、前記置換可否情報を記憶し、
前記番組再構成部は、前記他のコンテンツの重要度に対応する置換可否情報が置き換え可能であることを示すコンテンツを、他のコンテンツに置き換えて、前記番組構成を再構成する
ことを特徴とする請求項１に記載の番組再構成装置。
【請求項３】
前記番組構成記憶部は、複数の表示装置それぞれについての番組構成を記憶し、
前記番組再構成部は、前記複数の表示装置のある表示装置についての番組構成が示す複数のコンテンツに含まれるコンテンツを表示しない場合に、他の表示装置についての番組構成が示す複数のコンテンツのうちの前記置換可否情報が置き換え可能であることを示すコンテンツを、表示しなかったコンテンツに置き換えて、前記他の表示装置の番組構成を再構成する
ことを特徴とする請求項１又は２に記載の番組再構成装置。
【請求項４】
前記置換可否記憶部は、前記表示順序によって示されるコンテンツの表示枠毎に、その表示枠で表示するコンテンツを他のコンテンツに置き換え可能か否かを示す置換可否情報を記憶する
ことを特徴とする請求項１から３までのいずれかに記載の番組再構成装置。
【請求項５】
前記番組再構成装置は、さらに、
前記複数のコンテンツのうち少なくとも一部のコンテンツについて、表示条件を記憶する表示条件記憶部
を備え、
前記番組再構成部は、前記表示条件記憶部が記憶した表示条件を満たすように前記番組構成を再構成する
ことを特徴とする請求項１から４までのいずれかに記載の番組再構成装置。
【請求項６】
前記番組再構成装置は、さらに、
前記複数のコンテンツのうち少なくとも一部のコンテンツについて、前記表示条件を代替する代替条件を記憶する代替条件記憶部
を備え、
前記番組再構成部は、前記表示条件を満たすように前記番組構成を再構成することができない場合には、前記代替条件記憶部が記憶した代替条件を満たすように前記番組構成を再構成する
ことを特徴とする請求項５に記載の番組再構成装置。
【請求項７】
前記表示条件及び前記代替条件は、コンテンツの表示回数と、コンテンツを表示する表示装置が設置されたエリアと、コンテンツを表示する時間帯と、コンテンツの表示方法との少なくともいずれかを示す条件である
ことを特徴とする請求項６に記載の番組再構成装置。
【請求項８】
表示装置に表示させる複数のコンテンツの識別情報と、前記複数のコンテンツの表示順序とを示す番組構成を記憶する番組構成記憶装置と、前記番組構成記憶装置が記憶した番組構成が示す複数のコンテンツそれぞれについて、そのコンテンツを他のコンテンツに置き換え可能か否かを示す置換可否情報を記憶する置換可否記憶装置とを備える番組再構成装置の番組再構成プログラムであり、
所定の場合に、前記複数のコンテンツのうちの前記置換可否記憶装置が記憶した置換可否情報が置き換え可能であることを示すコンテンツを、他のコンテンツに置き換えて、前記番組構成を再構成する番組再構成処理
をコンピュータに実行させることを特徴とする番組再構成プログラム。
【発明の詳細な説明】
【技術分野】
【０００１】
この発明は、表示装置に表示するコンテンツを他のコンテンツに置き換えて番組構成を再構成する技術に関する。
【背景技術】
【０００２】
空港、駅、劇場、映画館等の施設には、ＤＳ端末（デジタルサイネージ端末）と呼ばれる多数の表示装置が設置されており、各ＤＳ端末に、その場所の案内や、広告等のコンテンツが表示されている。例えば、空港であれば、各ＤＳ端末に、フライトスケジュールや、検査場の混雑度合いや、機内手荷物に関する案内や、空港内のレストランの広告等が表示されている。
しかし、災害の発生や交通機関のトラブル等の何らかのイレギュラーな事象が発生した場合には、一部のＤＳ端末に表示するコンテンツを災害の情報や交通機関の情報等に変更する場合がある。
【先行技術文献】
【特許文献】
【０００３】
【特許文献１】特開２０１２−２７６４８号公報
【発明の概要】
【発明が解決しようとする課題】
【０００４】
例えば広告等には、表示回数等が契約によって定められており、イレギュラーな事象が発生したからといって、勝手に表示するコンテンツを変更することが許されない場合がある。
この発明は、何らかの事情により表示するコンテンツを変更する場合に、適切にコンテンツを変更することを目的とする。
【課題を解決するための手段】
【０００５】
この発明に係る番組再構成装置は、
表示装置に表示させる複数のコンテンツの識別情報と、前記複数のコンテンツの表示順序とを示す番組構成を記憶する番組構成記憶部と、
前記番組構成記憶部が記憶した番組構成が示す複数のコンテンツそれぞれについて、そのコンテンツを他のコンテンツに置き換え可能か否かを示す置換可否情報を記憶する置換可否記憶部と、
所定の場合に、前記複数のコンテンツのうちの前記置換可否記憶部が記憶した置換可否情報が置き換え可能であることを示すコンテンツを、他のコンテンツに置き換えて、前記番組構成を再構成する番組再構成部と
を備えることを特徴とする。
【０００６】
前記置換可否記憶部は、前記他のコンテンツの重要度毎に、前記置換可否情報を記憶し、
前記番組再構成部は、前記他のコンテンツの重要度に対応する置換可否情報が置き換え可能であることを示すコンテンツを、他のコンテンツに置き換えて、前記番組構成を再構成する
ことを特徴とする。
【０００７】
前記番組構成記憶部は、複数の表示装置それぞれについての番組構成を記憶し、
前記番組再構成部は、前記複数の表示装置のある表示装置についての番組構成が示す複数のコンテンツに含まれるコンテンツを表示しない場合に、他の表示装置についての番組構成が示す複数のコンテンツのうちの前記置換可否情報が置き換え可能であることを示すコンテンツを、表示しなかったコンテンツに置き換えて、前記他の表示装置の番組構成を再構成する
ことを特徴とする。
【０００８】
前記置換可否記憶部は、前記表示順序によって示されるコンテンツの表示枠毎に、その表示枠で表示するコンテンツを他のコンテンツに置き換え可能か否かを示す置換可否情報を記憶する
ことを特徴とする。
【０００９】
前記番組再構成装置は、さらに、
前記複数のコンテンツのうち少なくとも一部のコンテンツについて、表示条件を記憶する表示条件記憶部
を備え、
前記番組再構成部は、前記表示条件記憶部が記憶した表示条件を満たすように前記番組構成を再構成する
ことを特徴とする。
【００１０】
前記番組再構成装置は、さらに、
前記複数のコンテンツのうち少なくとも一部のコンテンツについて、前記表示条件を代替する代替条件を記憶する代替条件記憶部
を備え、
前記番組再構成部は、前記表示条件を満たすように前記番組構成を再構成することができない場合には、前記代替条件記憶部が記憶した代替条件を満たすように前記番組構成を再構成する
ことを特徴とする。
【００１１】
前記表示条件及び前記代替条件は、コンテンツの表示回数と、コンテンツを表示する表示装置が設置されたエリアと、コンテンツを表示する時間帯と、コンテンツの表示方法との少なくともいずれかを示す条件である
ことを特徴とする。
【００１２】
この発明に係る番組再構成プログラムは、
表示装置に表示させる複数のコンテンツの識別情報と、前記複数のコンテンツの表示順序とを示す番組構成を記憶する番組構成記憶装置と、前記番組構成記憶装置が記憶した番組構成が示す複数のコンテンツそれぞれについて、そのコンテンツを他のコンテンツに置き換え可能か否かを示す置換可否情報を記憶する置換可否記憶装置とを備える番組再構成装置の番組再構成プログラムであり、
所定の場合に、前記複数のコンテンツのうちの前記置換可否記憶装置が記憶した置換可否情報が置き換え可能であることを示すコンテンツを、他のコンテンツに置き換えて、前記番組構成を再構成する番組再構成処理
をコンピュータに実行させることを特徴とする。
【発明の効果】
【００１３】
この発明に係る番組再構成装置では、コンテンツ毎に予め置き換え可能か否かを割り当てておき、必要な場合には置き換え可能なコンテンツを他のコンテンツに置き換えて番組構成を再構成する。そのため、適切にコンテンツを変更することが可能である。
【図面の簡単な説明】
【００１４】
【図１】実施の形態１に係る表示システム１の構成図。
【図２】コンテンツ記憶部１４が記憶する情報の例を示す図。
【図３】番組構成記憶部１５が記憶する情報の例を示す図。
【図４】図３が示す番組構成を示す図。
【図５】置換可否記憶部１６が記憶する情報の例を示す図。
【図６】実施の形態１に係る番組再構成装置１０の動作を示すフローチャート。
【図７】図３に示す番組構成が再構成された場合を示す図。
【図８】置換可否記憶部１６が記憶する情報の例を示す図。
【図９】実施の形態２に係る表示システム１の構成図。
【図１０】端末記憶部１７が記憶する情報の例を示す図。
【図１１】表示条件記憶部１８が記憶する情報の例を示す図。
【図１２】実施の形態２に係る番組再構成装置１０の動作を示すフローチャート。
【図１３】図７に示す番組構成が再構成された場合を示す図。
【図１４】実施の形態３に係る表示システム１の構成図。
【図１５】配置記憶部２０が記憶する情報の例を示す図。
【図１６】端末記憶部１７が記憶する情報の例を示す図。
【図１７】図１５が表すＤＳ端末３０の移動を示す図。
【図１８】実施の形態３に係る番組再構成装置１０の動作を示すフローチャート。
【図１９】番組構成記憶部１５が記憶する情報の例を示す図。
【図２０】図１９に示す番組構成が再構成された場合を示す図。
【図２１】実施の形態４に係る表示システム１の構成図。
【図２２】代替条件記憶部２１が記憶する情報の例を示す図。
【図２３】実施の形態４に係る番組再構成装置１０の動作を示すフローチャート。
【図２４】実施の形態４に係る番組再構成装置１０の動作を示すフローチャート。
【図２５】実施の形態１〜４に示した番組再構成装置１０、ＤＳ端末３０のハードウェア構成の例を示す図。
【発明を実施するための形態】
【００１５】
実施の形態１．
実施の形態１では、コンテンツ毎に予め置き換え可能か否かを割り当てておき、必要な場合には置き換え可能なコンテンツを他のコンテンツに置き換えて番組構成を再構成することについて説明する。
【００１６】
図１は、実施の形態１に係る表示システム１の構成図である。
表示システム１は、番組再構成装置１０と、複数のＤＳ端末３０とを備える。
【００１７】
番組再構成装置１０は、空港、駅、劇場、映画館等に設置された各ＤＳ端末３０に表示するコンテンツの番組構成を変更する。
番組再構成装置１０は、割込みコンテンツ取得部１１、番組再構成部１２、送信部１３、コンテンツ記憶部１４、番組構成記憶部１５、置換可否記憶部１６を備える。
【００１８】
割込みコンテンツ取得部１１は、例えば、災害が発生した場合に、災害に関するコンテンツを割込みコンテンツとして取得する。割込みコンテンツは、例えば、番組再構成装置１０の管理者等によって入力される、あるいは、他のシステムから送信される。
【００１９】
番組再構成部１２は、割込みコンテンツ取得部１１が割込みコンテンツを取得した場合に、置き換え可能なコンテンツを割込みコンテンツに置き換えることにより、番組構成記憶部１５が記憶した番組構成を再構成する。
【００２０】
送信部１３は、番組再構成部１２が再構成した番組構成と、その番組構成に含まれるコンテンツとを各ＤＳ端末３０へ送信して、各ＤＳ端末３０に番組構成に従いコンテンツを表示させる。
【００２１】
コンテンツ記憶部１４は、コンテンツを記憶する記憶装置である。
図２は、コンテンツ記憶部１４が記憶する情報の例を示す図である。
図２では、コンテンツ記憶部１４は、コンテンツＩＤ毎に、コンテンツ情報と、コンテンツとを記憶している。コンテンツＩＤは、コンテンツの識別子である。コンテンツ情報は、コンテンツの内容を簡易的に説明した情報である。コンテンツは、コンテンツ本体である。
【００２２】
番組構成記憶部１５は、番組構成を記憶する記憶装置である。
図３は、番組構成記憶部１５が記憶する情報の例を示す図である。
図３では、番組構成記憶部１５は、表示順序と、コンテンツＩＤと、コンテンツ情報とを記憶している。図３では、図４に示すように、Ｃ００１（ウェルカムメッセージ）、Ｃ００２（場内案内）、Ｃ００３（広告１）、Ｃ００４（広告２）、Ｃ００５（広告３）、Ｃ００４（広告２）、Ｃ００１（ウェルカムメッセージ）・・・の順でコンテンツを表示することを示している。
【００２３】
置換可否記憶部１６は、置換可否情報を記憶する記憶装置である。
図５は、置換可否記憶部１６が記憶する情報の例を示す図である。
図５では、置換可否記憶部１６は、コンテンツＩＤ毎に、置換可否情報を記憶している。置換可否情報は、そのコンテンツを置換可能か否かを示す情報である。
【００２４】
ＤＳ端末３０は、番組再構成装置１０から送信されたコンテンツを、番組再構成装置１０から送信された番組構成に従い表示する端末である。
ＤＳ端末３０は、受信部３１、表示部３２を備える。
【００２５】
受信部３１は、送信部１３が送信した番組構成とコンテンツとを受信する。
表示部３２は、受信部３１が受信したコンテンツを、番組構成に従い表示する。
【００２６】
図６は、実施の形態１に係る番組再構成装置１０の動作を示すフローチャートである。
割込みコンテンツ取得部１１は、割込みコンテンツを取得する（Ｓ１１）。
すると、番組再構成部１２は、置換可否記憶部１６から置換可否情報を取得する（Ｓ１２）。そして、番組再構成部１２は、Ｓ１２で取得した置換可否情報に基づき、番組構成記憶部１５が記憶した番組構成に含まれるコンテンツに、置き換え可能なコンテンツがあるか否かを判定する（Ｓ１３）。
置き換え可能なコンテンツがある場合には（Ｓ１３でＹＥＳ）、番組再構成部１２は、置き換え可能なコンテンツを割込みコンテンツに置き換えて、番組構成記憶部１５が記憶した番組構成を再構成する（Ｓ１４）。そして、送信部１３は、Ｓ１４で再構成された番組構成と、割込みコンテンツを含む、番組構成に含まれるコンテンツとを各ＤＳ端末３０へ送信する（Ｓ１５）。
一方、置き換え可能なコンテンツがない場合には（Ｓ１３でＮＯ）、番組再構成部１２は番組構成を再構成せず、処理を終了する。
【００２７】
図２から図５に示す例では、図４に示す番組構成が、コンテンツＩＤが“Ｃ００４”の広告２が割込みコンテンツに置き換えられることにより、図７に示す番組構成に再構成される。
なお、図７では、割込みコンテンツとして「イベント告知情報」と、「イベントリアルタイム映像」とが同時に割込みコンテンツとして取得された。そのため、２つある置き換え可能なコンテンツの“Ｃ００４”が、それぞれの割込みコンテンツに置き換わった例を示している。１つだけ割込みコンテンツが取得されたときは、２つある置き換え可能なコンテンツは両方とも同じ割込みコンテンツに置き換えられる。また、割込みコンテンツの数が置き換え可能なコンテンツの数より多いときは、任意の割込みコンテンツのみ置き換えるか、あるいは割込みコンテンツに重要度を含めておき、番組再構成部１２は、重要度が高い順に割込みコンテンツを置き換えるように構成することができる。
【００２８】
以上のように、実施の形態１に係る番組再構成装置１０は、コンテンツ毎に予め置き換え可能か否かを割り当てておき、必要な場合には置き換え可能なコンテンツを他のコンテンツに置き換えて番組構成を再構成する。そのため、広告等が他のコンテンツへの置き換えが認められていない場合でも、その規則を破ることなく、適切に番組構成を再構成することができる。
【００２９】
なお、上記説明では、割込みコンテンツを取得した場合について説明した。
割込みコンテンツを取得していない通常時においては、例えば、毎日営業開始前に、送信部１３が、番組構成記憶部１５が記憶した番組構成と、番組構成に含まれるコンテンツとを各ＤＳ端末３０へ送信しておく。そして、各ＤＳ端末３０は、番組構成に従いコンテンツを表示する。
【００３０】
また、上記説明では、番組構成記憶部１５が番組構成を１つだけ記憶している例を説明した。
番組構成記憶部１５は、例えば、ＤＳ端末３０毎に番組構成を記憶していてもよい。この場合、番組再構成部１２は、ＤＳ端末３０毎に、Ｓ１３で、置き換え可能なコンテンツがあるか否かを判定し、Ｓ１４で、置き換え可能なコンテンツがある場合には、置き換え可能なコンテンツを割込みコンテンツに置き換えて、番組構成を再構成する。そして、送信部１３は、Ｓ１５で、置き換え可能なコンテンツがあった番組構成が割り当てられていたＤＳ端末３０に対して、再構成された番組構成と、番組構成に含まれるコンテンツとを送信する。
【００３１】
また、上記説明では、割込みコンテンツとして単にコンテンツを取得する例を説明した。
どのＤＳ端末３０に表示させるかを指定した指定情報を含んだ割込みコンテンツを取得してもよい。この場合、番組再構成部１２は、指定されたＤＳ端末３０について、Ｓ１３で置き換え可能なコンテンツがあるか否かを判定し、Ｓ１４で、置き換え可能なコンテンツがある場合には、置き換え可能なコンテンツを割込みコンテンツに置き換えて、番組構成を再構成する。そして、送信部１３は、Ｓ１５で、置き換え可能なコンテンツがあった番組構成が割り当てられていたＤＳ端末３０に対して、再構成された番組構成と、番組構成に含まれるコンテンツとを送信する。
【００３２】
また、上記説明では、置き換え可能なコンテンツがない場合には、番組再構成部１２は番組構成を再構成せず、処理を終了するとした。
しかし、例えば、大きな災害が発生した場合には、広告の契約等に関わらず、災害の情報を表示しなければならないことも考えられる。そこで、重要度を割込みコンテンツに含めておき、重要度の高い割込みコンテンツを取得した場合には、置き換え可能か否かに関わらず、コンテンツを割込みコンテンツに置き換えて、番組構成を再構成するとしてもよい。
なお、置き換え可能なコンテンツがない場合にのみ、置き換え可能でないコンテンツを割込みコンテンツに置き換えて、番組構成を再構成するとしてもよい。特に、コンテンツ毎に優先度を付けておき、置き換え可能でないコンテンツを割込みコンテンツに置き換える場合には、優先度の低いコンテンツのみを割込みコンテンツに置き換えるようにしてもよい。
【００３３】
例えば、図８に示すように、置換可否記憶部１６は、番組の表示枠（表示順序）毎に、置換可否情報を記憶してもよい。図８に示す置換可否記憶部１６では、表示枠の表示時間（秒）と、置換可否情報、表示枠に表示できる内容（広告、場内案内、イベント告知等）が設定されている。番組構成部（図示せず）は、置換可否記憶部１６を用いるとき、表示枠の内容を参照して、適切なコンテンツを割り付ける。また置換可否情報は、置換可否記憶部１６に例示するように、割込みコンテンツの重要度により置換可否情報を変更させてもよい。例えば、災害情報等重要度が高い割込みコンテンツは、場内案内の表示枠以外は割込み可とし、特別なイベント告知情報等重要度が低い割込みコンテンツは、イベント告知情報、一部の広告情報等の表示枠は割込み可とするように設定することができる。なお置換可否記憶部１６の内容は、図８ではそれぞれ１種類ずつ記載しているが、任意の内容を複数個設定することができる。
この場合、図６のＳ１２の判定では、番組再構成部１２は、割込みコンテンツの重要度と一致する置換可否記憶部１６の置換可否情報を参照する。
コンテンツの表示枠毎に置換可否情報を設定することにより、コンテンツ毎の置換可否情報の設定が不要になる。それにより、番組構成部が定期的にコンテンツを入れ替える場合は、処理の省力化が図れる。
【００３４】
実施の形態２．
実施の形態１では、置き換え可能なコンテンツを割込みコンテンツに置き換えることについて説明した。置き換え可能なコンテンツを全て割込みコンテンツに置き換えてしまった場合、広告の契約等の表示条件を満たすことができなくなる可能性がある。実施の形態２では、表示条件を満たすように番組構成を再構成することについて説明する。
【００３５】
図９は、実施の形態２に係る表示システム１の構成図である。
実施の形態２に係る表示システム１では、番組再構成装置１０は、図１に示す実施の形態１に係る番組再構成装置１０が備える構成に加え、端末記憶部１７、表示条件記憶部１８を備える。
【００３６】
端末記憶部１７は、各端末が配置されたエリアを記憶する記憶装置である。
図１０は、端末記憶部１７が記憶する情報の例を示す図である。
図１０では、端末記憶部１７は、端末ＩＤ毎に、基本エリアを記憶している。端末ＩＤは、ＤＳ端末３０の識別子である。基本エリアは、ＤＳ端末３０が設置された位置を示す情報である。
【００３７】
表示条件記憶部１８は、コンテンツの表示条件を記憶する記憶装置である。
図１１は、表示条件記憶部１８が記憶する情報の例を示す図である。
図１１では、表示条件記憶部１８は、コンテンツＩＤ毎に、条件を記憶している。条件は、表示条件を示す情報であり、コンテンツの表示回数、コンテンツを表示するＤＳ端末３０が設置されたエリア、コンテンツを表示する時間帯、コンテンツの表示方法等の様々な基準が定められている。
なお、コンテンツの表示条件は、全てのコンテンツについて定められているわけではなく、少なくとも一部のコンテンツのみに定められている。図１１では、コンテンツＩＤが“００３”、“００４”、“００５”のコンテンツについては表示条件が定められているが、コンテンツＩＤが“００１”、“００２”のコンテンツについては表示条件が定められていない。
【００３８】
図１２は、実施の形態２に係る番組再構成装置１０の動作を示すフローチャートである。
Ｓ２１からＳ２４の処理は、図６に示すＳ１１からＳ１４の処理と同じである。
Ｓ２４に続いて、番組再構成部１２は、表示条件記憶部１８が記憶した全ての表示条件を番組構成が満たすか否かを判定する（Ｓ２５）。この際、番組再構成部１２は、端末記憶部１７が記憶したＤＳ端末３０の位置を参照して、全ての表示条件を番組構成が満たすか否かを判定する。
【００３９】
全ての表示条件を番組構成が満たす場合（Ｓ２５でＹＥＳ）、送信部１３は、再構成した番組構成と、番組構成に含まれるコンテンツとを各ＤＳ端末３０へ送信する（Ｓ２６）。
一方、１つでも表示条件を番組構成が満たさない場合（Ｓ２５でＮＯ）、番組再構成部１２は、割込みコンテンツに置き換えたコンテンツのうち一部のコンテンツを、表示条件を満たしていないコンテンツに置き換えて、番組構成を再構成する（Ｓ２７）。そして、番組再構成部１２は、処理をＳ２５へ戻して全ての表示条件を番組構成が満たすか否かを判定する。
【００４０】
例えば、Ｓ２４で、図７に示す番組構成に再構成された場合、コンテンツＩＤが“Ｃ００４”の広告２が表示されなくなってしまい、図１１に示すコンテンツＩＤが“Ｃ００４”の表示条件が満たされなくなってしまう。
そこで、Ｓ２７で、例えば、図１３に示すように、割込みコンテンツに置き換えた一部のコンテンツを、コンテンツＩＤが“Ｃ００４”の広告２に置き換え、Ｓ２５で、全条件を満たすことが確認できたら、Ｓ２６で、表示条件が満たされる番組構成に再構成する。
なお図１２には記載していないが、Ｓ２５を一定回数以上実行した場合、全ての表示条件は満たすことができないと判定し、エラー表示して、一旦表示システム１のシステム管理者に判断を促すように構成してもよい。エラー表示するときに、条件を満たすことができない表示条件と現状の番組構成を提示すると、システム管理者は表示条件を変更する等の対応ができる。
【００４１】
以上のように、実施の形態２に係る番組再構成装置１０は、置き換え可能なコンテンツを全て割込みコンテンツに置き換えることにより、表示条件を満たさなくなる場合に、表示条件を満たすように番組構成を再構成する。そのため、広告の契約等に違反することを防止できる。
【００４２】
なお、番組構成記憶部１５がＤＳ端末３０毎に番組構成を記憶している場合、Ｓ２６では、全てのＤＳ端末３０についてではなく、一部のＤＳ端末３０について、割込みコンテンツに置き換えた一部のコンテンツを、表示条件を満たしていないコンテンツに置き換えてもよい。この際、必要であれば、番組再構成部１２は、端末記憶部１７が記憶したＤＳ端末３０の位置を参照して、どのＤＳ端末３０についてのコンテンツを置き換えるかを決定してもよい。
例えば、図７に示す番組構成に再構成された場合、図１１に示す表示条件が満たされるように、エリアＡにあるＤＳ端末３０についてのコンテンツのみ、コンテンツＩＤが“Ｃ００４”の広告２に置き換えて、図１３に示すように、番組構成を再構成してもよい。そして、他のエリアにあるＤＳ端末３０についての番組構成は、図７に示す番組構成のままとしてもよい。
【００４３】
実施の形態３．
実施の形態２では、置き換え可能なコンテンツを全て割込みコンテンツに置き換えることにより、表示条件を満たさなくなる場合に、表示条件を満たすように番組構成を再構成することについて説明した。実施の形態３では、少なくとも一部のＤＳ端末３０が移動可能である場合に、ＤＳ端末３０を移動させることにより、表示条件を満たさなくなる場合に、表示条件を満たすように番組構成を再構成することについて説明する。
【００４４】
図１４は、実施の形態３に係る表示システム１の構成図である。
実施の形態３に係る表示システム１では、番組再構成装置１０は、図９に示す実施の形態２に係る番組再構成装置１０が備える構成に加え、配置管理部１９、配置記憶部２０を備える。
【００４５】
配置管理部１９は、ＤＳ端末３０の配置を管理する。配置管理部１９は、ＤＳ端末３０が移動されると、最新のＤＳ端末３０の配置を配置記憶部２０に記憶する。あるいは、配置管理部１９は、定期的に、最新のＤＳ端末３０の配置を配置記憶部２０に記憶する。
【００４６】
配置記憶部２０は、ＤＳ端末３０の配置を記憶する記憶装置である。
図１５は、配置記憶部２０が記憶する情報の例を示す図である。
図１５では、配置記憶部２０は、エリア及び更新時刻毎に、端末ＩＤを記憶している。エリアは、予め定められた範囲を示す情報である。更新時刻は、情報が記憶された時刻である。端末ＩＤは、そのエリアに、その時刻に設置されているＤＳ端末３０の端末ＩＤである。
【００４７】
図１６は、端末記憶部１７が記憶する情報の例を示す図である。
図１６では、端末記憶部１７は、図１０に示す情報に加え、移動可否情報を記憶している。移動可否情報は、ＤＳ端末３０が移動可能か否かを示す情報である。また、基本エリアは、ＤＳ端末３０が設置された位置ではなく、ＤＳ端末３０が移動されていない場合に原則として設置される位置を示す情報である。
【００４８】
図１５では、図１７に示すように、２０１３／２／１の１０：００に、ＩＤ００３のＤＳ端末３０が、エリアＡからエリアＢへ移動したことを表している。
【００４９】
図１８は、実施の形態３に係る番組再構成装置１０の動作を示すフローチャートである。なお、割込みコンテンツを取得した場合の動作については、図１２に示す動作と同じであるため、図１８では省略している。
番組再構成部１２は、配置管理部１９により配置記憶部２０が更新されたか否かを定期的に確認する（Ｓ３１）。配置記憶部２０が更新された場合、番組再構成部１２は、全ての表示条件を番組構成が満たすか否かを判定する（Ｓ３２）。この際、番組再構成部１２は、配置記憶部２０が記憶した最新のＤＳ端末３０の位置を参照して、全ての表示条件を番組構成が満たすか否かを判定する。
図１８には記載していないが、Ｓ３２を一定回数以上実行したときのエラー処理については、実施の形態２のＳ２５で説明したとおりである。
【００５０】
全ての表示条件を番組構成が満たす場合（Ｓ３２でＹＥＳ）、送信部１３は、番組構成と、番組構成に含まれるコンテンツとを各ＤＳ端末３０へ送信する（Ｓ３３）。
一方、１つでも表示条件を番組構成が満たさない場合（Ｓ３２でＮＯ）、番組再構成部１２は、一部のコンテンツを表示条件を満たしていないコンテンツに置き換えて、番組構成を再構成する（Ｓ３４）。そして、番組再構成部１２は、処理をＳ３２へ戻して全ての表示条件を番組構成が満たすか否かを判定する。
【００５１】
例えば、図１９に示すように、番組構成記憶部１５がＤＳ端末３０毎に番組構成を記憶していたとする。この場合に、図１７に示すように、ＩＤ００３のＤＳ端末３０が、エリアＡからエリアＢへ移動したとする。すると、コンテンツＩＤが“Ｃ００４”の広告２がエリアＡでは表示されなくなってしまい、図１１に示すコンテンツＩＤが“Ｃ００４”の表示条件が満たされなくなってしまう。
そこで、例えば、図２０に示すように、ＩＤ００２のＤＳ端末３０についての、コンテンツＩＤが“Ｃ００２”のコンテンツ（場内案内）の１つを、コンテンツＩＤが“Ｃ００４”のコンテンツ（広告２）に置き換えることにより、表示条件が満たされる番組構成に再構成する。
【００５２】
以上のように、実施の形態３に係る番組再構成装置１０は、ＤＳ端末３０を移動させることにより、表示条件を満たさなくなる場合に、表示条件を満たすように番組構成を再構成する。そのため、広告の契約等に違反することを防止できる。
【００５３】
実施の形態４．
実施の形態２，３では、表示条件を満たさなくなる場合に、表示条件を満たすように番組構成を再構成することについて説明した。しかし、番組構成を再構成したとしても、表示条件を満たすことができない可能性もある。実施の形態４では、番組構成を再構成したとしても、表示条件を満たすことができない場合に、表示条件を代替する代替条件を満たすように番組構成を再構成することについて説明する。
【００５４】
図２１は、実施の形態４に係る表示システム１の構成図である。
実施の形態４に係る表示システム１では、番組再構成装置１０は、図１４に示す実施の形態３に係る番組再構成装置１０が備える構成に加え、代替条件記憶部２１を備える。
【００５５】
代替条件記憶部２１は、表示条件を代替する代替条件を記憶する記憶装置である。
図２２は、代替条件記憶部２１が記憶する情報の例を示す図である。
図２２では、代替条件記憶部２１は、コンテンツＩＤ毎に代替ＩＤを記憶しており、代替ＩＤ毎に代替条件を記憶している。代替ＩＤは、代替条件の識別子である。代替条件は、表示条件を代替する条件である。つまり、代替条件は、表示条件を満たすことができない場合に、表示条件の代わりに満たすべき条件である。
【００５６】
図２３は、実施の形態４に係る番組再構成装置１０の動作を示すフローチャートである。図２３は、割込みコンテンツを取得した場合の処理を示す。
Ｓ４１からＳ４６の処理は、図１２に示すＳ２１からＳ２６の処理と同じである。
１つでも表示条件を番組構成が満たさない場合（Ｓ４５でＮＯ）、番組再構成部１２は、全ての番組構成を試したか否かを判定する（Ｓ４７）。
試していない番組構成がある場合（Ｓ４７でＮＯ）、番組再構成部１２は、割込みコンテンツに置き換えたコンテンツのうち一部のコンテンツを、表示条件を満たしていないコンテンツに置き換えて、番組構成を再構成する（Ｓ４８）。そして、番組再構成部１２は、処理をＳ４５へ戻して全ての表示条件を番組構成が満たすか否かを判定する。
【００５７】
一方、全ての番組構成を試した場合（Ｓ４７でＹＥＳ）、番組再構成部１２は、改めて、割込みコンテンツに置き換えたコンテンツのうち一部のコンテンツを、表示条件を満たしていないコンテンツに置き換えて、既に試した番組構成に再構成する（Ｓ４９）。そして、番組再構成部１２は、番組構成が表示条件を満たしているか否かを判定するとともに、表示条件を満たしていないコンテンツに関して、代替条件記憶部２１が記憶した代替条件を満たしているか否かを判定する（Ｓ５０）。
表示条件を満たしていないコンテンツが代替条件を満たしている場合（Ｓ５０でＹＥＳ）、送信部１３は、再構成した番組構成と、番組構成に含まれるコンテンツとを各ＤＳ端末３０へ送信する（Ｓ４６）。一方、表示条件を満たしていないコンテンツが代替条件を満たしていない場合、番組再構成部１２は、処理をＳ４９へ進め、改めて番組構成を再構成する。
図２３には記載していないが、Ｓ５０を一定回数以上実行したときのエラー処理については、実施の形態２のＳ２５で説明したとおりである。
【００５８】
図２４は、実施の形態４に係る番組再構成装置１０の動作を示すフローチャートである。図２４は、ＤＳ端末３０が移動した場合の処理を示す。
Ｓ５１からＳ５３の処理は、図１８に示すＳ３１からＳ３３の処理と同じである。
１つでも表示条件を番組構成が満たさない場合（Ｓ５２でＮＯ）、番組再構成部１２は、全ての番組構成を試したか否かを判定する（Ｓ５４）。
試していない番組構成がある場合（Ｓ５４でＮＯ）、番組再構成部１２は、一部のコンテンツを表示条件を満たしていないコンテンツに置き換えて、番組構成を再構成する（Ｓ５５）。そして、番組再構成部１２は、処理をＳ５２へ戻して全ての表示条件を番組構成が満たすか否かを判定する。
【００５９】
一方、全ての番組構成を試した場合（Ｓ５４でＹＥＳ）、番組再構成部１２は、改めて、一部のコンテンツを表示条件を満たしていないコンテンツに置き換えて、既に試した番組構成に再構成する（Ｓ５６）。そして、番組再構成部１２は、番組構成が表示条件を満たしているか否かを判定するとともに、表示条件を満たしていないコンテンツに関して、代替条件記憶部２１が記憶した代替条件を満たしているか否かを判定する（Ｓ５７）。
表示条件を満たしていないコンテンツが代替条件を満たしている場合（Ｓ５７でＹＥＳ）、送信部１３は、再構成した番組構成と、番組構成に含まれるコンテンツとを各ＤＳ端末３０へ送信する（Ｓ５３）。一方、表示条件を満たしていないコンテンツが代替条件を満たしていない場合、番組再構成部１２は、処理をＳ５６へ進め、改めて番組構成を再構成する。
図１８には記載していないが、Ｓ５７を一定回数以上実行したときのエラー処理については、実施の形態２のＳ２５で説明したとおりである。
【００６０】
以上のように、実施の形態４に係る番組再構成装置１０は、番組構成を再構成したとしても、表示条件を満たすことができない場合に、表示条件を代替する代替条件を満たすように番組構成を再構成する。そのため、割込みコンテンツを表示させる場合や、ＤＳ端末３０を移動させる場合に、番組構成を適切に再構成することができる。
【００６１】
図２５は、実施の形態１〜４に示した番組再構成装置１０、ＤＳ端末３０のハードウェア構成の例を示す図である。
番組再構成装置１０、ＤＳ端末３０はコンピュータであり、番組再構成装置１０、ＤＳ端末３０の各要素をプログラムで実現することができる。
番組再構成装置１０、ＤＳ端末３０のハードウェア構成としては、バスに、演算装置９０１、外部記憶装置９０２、主記憶装置９０３、通信装置９０４、入出力装置９０５が接続されている。
【００６２】
演算装置９０１は、プログラムを実行するＣＰＵ（Ｃｅｎｔｒａｌ  Ｐｒｏｃｅｓｓｉｎｇ  Ｕｎｉｔ）等である。外部記憶装置９０２は、例えばＲＯＭ（Ｒｅａｄ  Ｏｎｌｙ
Ｍｅｍｏｒｙ）やフラッシュメモリ、ハードディスク装置等である。主記憶装置９０３は、例えばＲＡＭ（Ｒａｎｄｏｍ  Ａｃｃｅｓｓ  Ｍｅｍｏｒｙ）等である。通信装置９０４は、例えば通信ボード等である。入出力装置９０５は、例えばマウス、キーボード、ディスプレイ装置等である。
【００６３】
プログラムは、通常は外部記憶装置９０２に記憶されており、主記憶装置９０３にロードされた状態で、順次演算装置９０１に読み込まれ、実行される。
プログラムは、割込みコンテンツ取得部１１、番組再構成部１２、送信部１３、配置管理部１９として説明している機能を実現するプログラムである。
更に、外部記憶装置９０２にはオペレーティングシステム（ＯＳ）も記憶されており、ＯＳの少なくとも一部が主記憶装置９０３にロードされ、演算装置９０１はＯＳを実行しながら、上記プログラムを実行する。
また、実施の形態１〜３の説明において、「〜の取得」、「〜の再構成」、「〜の送信」等として説明している処理の結果を示す情報やデータや信号値や変数値が主記憶装置９０３にファイルとして記憶されている。
【００６４】
なお、図２５の構成は、あくまでも番組再構成装置１０、ＤＳ端末３０のハードウェア構成の一例を示すものであり、番組再構成装置１０、ＤＳ端末３０のハードウェア構成は図２５に記載の構成に限らず、他の構成であってもよい。
【符号の説明】
【００６５】
１０  番組再構成装置、１１  割込みコンテンツ取得部、１２  番組再構成部、１３  送信部、１４  コンテンツ記憶部、１５  番組構成記憶部、１６  置換可否記憶部、１７  端末記憶部、１８  表示条件記憶部、１９  配置管理部、２０  配置記憶部、２１  代替条件記憶部、３０  ＤＳ端末、３１  受信部、３２  表示部。
【図１】
2015026928.tif 000003
【図２】
2015026928.tif 000004
【図３】
2015026928.tif 000005
【図４】
2015026928.tif 000006
【図５】
2015026928.tif 000007
【図６】
2015026928.tif 000008
【図７】
2015026928.tif 000009
【図８】
2015026928.tif 000010
【図９】
2015026928.tif 000011
【図１０】
2015026928.tif 000012
【図１１】
2015026928.tif 000013
【図１２】
2015026928.tif 000014
【図１３】
2015026928.tif 000015
【図１４】
2015026928.tif 000016
【図１５】
2015026928.tif 000017
【図１６】
2015026928.tif 000018
【図１７】
2015026928.tif 000019
【図１８】
2015026928.tif 000020
【図１９】
2015026928.tif 000021
【図２０】
2015026928.tif 000022
【図２１】
2015026928.tif 000023
【図２２】
2015026928.tif 000024
【図２３】
2015026928.tif 000025
【図２４】
2015026928.tif 000026
【図２５】
2015026928.tif 000027
【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
複数の表示装置それぞれについて、表示装置に表示させる複数のコンテンツの識別情報と、前記複数のコンテンツの表示順序とを示す番組構成を記憶する番組構成記憶部と、
前記番組構成記憶部が記憶した番組構成が示す複数のコンテンツそれぞれについて、そのコンテンツを他のコンテンツに置き換え可能か否かを示す置換可否情報を記憶する置換可否記憶部と、
前記複数の表示装置のある表示装置についての番組構成が示す複数のコンテンツに含まれるコンテンツを表示しない場合に、他の表示装置についての番組構成が示す複数のコンテンツのうちの前記置換可否情報が置き換え可能であることを示すコンテンツを、表示しなかったコンテンツに置き換えて、前記他の表示装置の番組構成を再構成する番組再構成部と
を備えることを特徴とする番組再構成装置。
【請求項２】
表示装置に表示させる複数のコンテンツの識別情報と、前記複数のコンテンツの表示順序とを示す番組構成を記憶する番組構成記憶部と、
前記番組構成記憶部が記憶した番組構成が示す複数のコンテンツそれぞれについて、そのコンテンツを他のコンテンツに置き換え可能か否かを示す置換可否情報を記憶する置換可否記憶部と、
前記複数のコンテンツのうち少なくとも一部のコンテンツについて、表示条件を記憶する表示条件記憶部と、
所定の場合に、前記複数のコンテンツのうちの前記置換可否記憶部が記憶した置換可否情報が置き換え可能であることを示すコンテンツを、他のコンテンツに置き換えて、前記表示条件記憶部が記憶した表示条件を満たすように前記番組構成を再構成する番組再構成部とを備えることを特徴とする番組再構成装置。
【請求項３】
前記置換可否記憶部は、前記他のコンテンツの重要度毎に、前記置換可否情報を記憶した
ことを特徴とする請求項１又は２に記載の番組再構成装置。
【請求項４】
前記置換可否記憶部は、前記表示順序によって示されるコンテンツの表示枠毎に、その表示枠で表示するコンテンツを他のコンテンツに置き換え可能か否かを示す置換可否情報を記憶する
ことを特徴とする請求項１から３までのいずれかに記載の番組再構成装置。
【請求項５】
前記番組再構成装置は、さらに、
前記複数のコンテンツのうち少なくとも一部のコンテンツについて、前記表示条件を代替する代替条件を記憶する代替条件記憶部
を備え、
前記番組再構成部は、前記表示条件を満たすように前記番組構成を再構成することができない場合には、前記代替条件記憶部が記憶した代替条件を満たすように前記番組構成を再構成する
ことを特徴とする請求項２に記載の番組再構成装置。
【請求項６】
前記表示条件及び前記代替条件は、コンテンツの表示回数と、コンテンツを表示する表示装置が設置されたエリアと、コンテンツを表示する時間帯と、コンテンツの表示方法との少なくともいずれかを示す条件である
ことを特徴とする請求項５に記載の番組再構成装置。
【請求項７】
複数の表示装置それぞれについて、表示装置に表示させる複数のコンテンツの識別情報と、前記複数のコンテンツの表示順序とを示す番組構成を記憶する番組構成記憶装置と、前記番組構成記憶装置が記憶した番組構成が示す複数のコンテンツそれぞれについて、そのコンテンツを他のコンテンツに置き換え可能か否かを示す置換可否情報を記憶する置換可否記憶装置とを備える番組再構成装置の番組再構成プログラムであり、
前記複数の表示装置のある表示装置についての番組構成が示す複数のコンテンツに含まれるコンテンツを表示しない場合に、他の表示装置についての番組構成が示す複数のコンテンツのうちの前記置換可否情報が置き換え可能であることを示すコンテンツを、表示しなかったコンテンツに置き換えて、前記他の表示装置の番組構成を再構成する番組再構成処理
をコンピュータに実行させることを特徴とする番組再構成プログラム。
【請求項８】
表示装置に表示させる複数のコンテンツの識別情報と、前記複数のコンテンツの表示順序とを示す番組構成を記憶する番組構成記憶装置と、前記番組構成記憶装置が記憶した番組構成が示す複数のコンテンツそれぞれについて、そのコンテンツを他のコンテンツに置き換え可能か否かを示す置換可否情報を記憶する置換可否記憶装置と、前記複数のコンテンツのうち少なくとも一部のコンテンツについて、表示条件を記憶する表示条件記憶装置とを備える番組再構成装置の番組再構成プログラムであり、
所定の場合に、前記複数のコンテンツのうちの前記置換可否記憶装置が記憶した置換可否情報が置き換え可能であることを示すコンテンツを、他のコンテンツに置き換えて、前記表示条件記憶装置が記憶した表示条件を満たすように前記番組構成を再構成する番組再構成処理
をコンピュータに実行させることを特徴とする番組再構成プログラム。